(57)【要約】【課題】ラミネータフィルム残量と終端の検出方法。誤検知の少ない方法を提案する。【解決手段】光がフィルムを透過する際の減衰を利用して残量を検出する。またフィルム透過光とフィルム反射光の両者を利用することによって確度の高い終端検知を可能にする。【選択図】        図１
2004161419.tif 000002
【特許請求の範囲】
【請求項１】
ロール状に巻かれた透明なフィルムに対して、
フィルムが巻きつけられている中心部の紙管の特定の位置に対して
巻きつけられている透明のフィルムを透して絞られた光束を照射させる発光素子と、
光が照射された紙管の位置と、照射光に対して正反射位置に配置され、
光の照射される紙管の位置に対して指向性の強い感度特性を持った受光素子と、該受光素子の受光量を検出する検出手段とからなるロールフィルムの残量終端検出方法であって、
照射される光はロール状に巻かれた透明なフィルムを透過することによって、所定の減衰率で光量が減衰するような特性を持った波長であることを特徴としたロールフィルムの残量終端検出方法。
【請求項２】
請求項１に記載のロールフィルムの残量検出方法を搭載したロール状フィルムの残量終端検出装置。
【発明の詳細な説明】
【０００１】
【発明の属する技術分野】
本発明はロール形状に巻き取られた透明なフィルムの残量検出に関するものである。
【０００２】
ロール形状の透明フィルムとは例えば、印刷出力物のラミネータ装置のラミネートフィルムなどであるが、部分的に透明な個所があればよいので、昇華プリンタのインクリボンなど不透明なものにも利用することが可能である。
【０００３】
【従来の技術】
ロール形状の残量や終端を計測するための方法としては、ロール形状の径の長さを機械的なリンク機構によって検出するものや、ロール形状物の重量を測り、使用量、残量を割り出す方法などがある。また、ロール形状物を引き出すときに、ロール形状物の回転数が回転数が多いか、少ないかで、残量を割り出す方法がある。
【０００４】
すなわち同一量の引き出しを行った場合に回転量が多い場合のほうが、径の長さが短くなっているので、この原理を応用することによって、残量を割り出すものである。
【０００５】
上記したような従来技術の欠点として、
▲１▼残量の検出精度が大雑把なものにしかならない。
【０００６】
径にしても重量にしても回転量にしてもフィルムの厚みが厚い場合や、重量が重い場合は比較的高い精度の検出が可能であるが、現実的にはフィルムは薄く軽い場合が多く、使った量に対して、鈍感な検出しかできない。
【０００７】
▲２▼終端検知が出来ない。
【０００８】
この問題は▲１▼と内容的には同じであるが、特に終端検知という意味で問題が大きい。
【０００９】
残量検知の場合には、場合によって２０％使用４０％使用６０％使用８０％使用といったように大雑把な検出ができれば許される場合がある。
【００１０】
しかしながら終端検知の場合では、検出誤差で残ったフィルムはそのまま未使用のまま棄てられてしまうことになる。
【００１１】
仮に検出精度が５％であったとしても、５０メートルのフィルムでは約２．５メートル程度のフィルムを残したまま棄ててしまうことになる。
【００１２】
【発明が解決しようとする課題】
本発明の目的は、上記したような従来例の不具合を、改良することを目的とする。
【００１３】
この目的を達成するため、検出方法はフィルムが巻きつけられている中心部の紙管の特定の位置に対して巻きつけられている透明のフィルムを透して絞られた光束を照射させる発光素子と、光が照射された紙管の位置の正反射位置に配置され、該受光素子の受光量を検出する検出手段とからなる検出方法を用い、照射される光がロール状に巻かれた透明なフィルムを透過することによって、所定の減衰率で減衰するため、受光した光量を検出することで残量を割り出すことによって、敏感な残量検知ができるとともに、終端を検出する機能においては、フィルムを透過する光とフィルム表面で反射する光の両方の光が受光することによって、一段と強い光量が受光部に受光することによって、終端部で受光する光量にメリハリがあるため、確実な終端検知の機能をもつことができる。
【００１４】
【課題を解決するための手段】
この発明は下記の構成を備えることにより上記課題を解決できるものである。
【００１５】
（１）ロール状に巻かれた透明なフィルムに対して、フィルムが巻きつけられている中心部の紙管の特定の位置に対して巻きつけられている透明のフィルムを透して絞られた光束を照射させる発光素子と、光が照射された紙管の位置と、照射光に対して正反射位置に配置され、光の照射される紙管の位置に対して指向性の強い感度特性を持った受光素子と、該受光素子の受光量を検出する検出手段とからなるロールフィルムの残量終端検出方法であって、照射される光はロール状に巻かれた透明なフィルムを透過することによって、所定の減衰率で光量が減衰するような特性を持った波長であることを特徴としたロールフィルムの残量終端検出方法。
【００１６】
（２）前記（１）に記載のロールフィルムの残量検出方法を搭載したロール状フィルムの残量終端検出装置。
【００１７】
【発明の実施の形態】
図１の説明
図１は本発明の装置の実施の形態の一例を示す。図１はロールフィルムの残量が充分にあるときの、検出状態を示したときの図である。
【００１８】
図１において、１は発光源としてのＬＥＤ、２は受光部としてのフォトトランジスタ、３は抵抗器、４は電圧検出部フォトトランジスタ２のコレクタと抵抗器３の一端が接続され、更に抵抗器３の他端は電源に接続されている。
【００１９】
以上の構成で光量電圧変換回路を構成する。受光量が多い場合には検出電圧が低くなり、受光量が小さい場合には検出電圧が高くなる。
【００２０】
５はロール状フィルムの外周部分、６は紙管部分、７はＬＥＤ１から発光した光束をあらわしている。
【００２１】
発光源７から発せられた光は、不図示の集光レンズ等もしくはスリットなどにより絞られた光束になっている。
【００２２】
８はＬＥＤ１から発せられた光がロール状フィルムの表面で反射された光束を示している。この反射光はフォトトランジスタ２には入力せずに全く関係ない方向に進む。
【００２３】
９はＬＥＤ１から発せられた光がロール状フィルムの中心部の紙管部分にあたり反射された光束をしめしている。この反射光はフォトトランジスタ２の受光部の方向へと進む。光束９はロール状フィルムの内部を通過する段階で、減衰し、光の強さが極めて小さいものになっている。
【００２４】
１０は最終的にはフィルムを抜けてフォトトランジスタに到達する光束を示している。検出される光が小さいため、検出される電圧は高く検出される。
【００２５】
図２の説明
図２はロールフィルムの残量がおおよそ半分であるときの、検出状態を示したときの図である。
【００２６】
構成物は図１と同一であり、図１と同一の番号を付している。
【００２７】
８も図１と同じくＬＥＤ１から発せられた光がロール状フィルムの表面で反射された光束を示している。
【００２８】
図１の場合と同様この反射光はフォトトランジスタ２には入力せずに全く関係ない方向に進む。
【００２９】
９も図１と同じくＬＥＤ１から発せられた光がロール状フィルムの中心部の紙管部分にあたり反射された光束をしめしている。
【００３０】
この反射光は図１と同様にフォトトランジスタ２の受光部の方向へと進む。
【００３１】
光束９はロール状フィルムの内部を通過する段階で、減衰し、光の強さが小さいものになっている。ただし図１の場合よりフィルムの厚みが少なくなっているため、減衰される光の量は図１の場合よりも少ない。
【００３２】
１０は最終的にはフィルムを抜けてフォトトランジスタに到達する光束を示している。検出される光量が中程度であるため、検出される電圧も中程度に検出される。
【００３３】
図３の説明
図３はロールフィルムの残量がないあるいはなくなる直前の、検出状態を示したときの図である。
【００３４】
構成物は図１と同一であり、図１と同一の番号を付している。
【００３５】
８も図１と同じくＬＥＤ１から発せられた光がロール状フィルムの表面で反射された光束を示している。
【００３６】
図１の場合と異なり、反射される位置が紙管部に極めて近いため、この反射光はフォトトランジスタ２に入力する方向に進む。
【００３７】
９も図１と同じくＬＥＤ１から発せられた光がロール状フィルムの中心部の紙管部分にあたり反射された光束をしめしている。
【００３８】
この反射光は図１と同様にフォトトランジスタ２の受光部の方向へと進む。
【００３９】
光束９はロール状フィルムの残量がほとんどない場合には内部を通過する段階で減衰することなく、光量が多いまま、フォトトランジスタに受光される。
【００４０】
１０は最終的にはフィルムを抜けてフォトトランジスタに到達する光束を示している。
【００４１】
１０に加えてフィルムロールの表面５で反射された反射光束８も受光部に入力するため、極めて多い光量が受光することになり、検出される電圧がこれまでと比較して、急激に落ちる。これによりメリハリのある終端検出が可能になる。
【００４２】
図４の説明
図４は電圧検出部４の検出電圧と残量の関係を現した図である。
【００４３】
図４においてＡに示す位置は残量が比較的多い場合であり、図１で示した状態に相当する。
【００４４】
図４においてＢに示す位置は残量が半分程度の場合であり、図２で示した状態に相当する。
【００４５】
図４においてＣに示す位置は残量がほとんどない場合であり、図３で示した状態に相当する。
【００４６】
図４ではロールフィルムの残量が無くなり、図３で示すように、フォトトランジスタの受光量が急速に増加した場合に検知電圧が急激に落ち込み、誤検知の発生しにくい構造をうかがうことができる。
【００４７】
【発明の効果】
以上の説明より、フィルムが巻きつけられている中心部の紙管の特定の位置に対して巻きつけられている透明のフィルムを透して絞られた光束を照射させる発光素子と、光が照射された紙管の位置の正反射位置に配置され、該受光素子の受光量を検出する検出手段とからなる検出方法を用い、照射される光がロール状に巻かれた透明なフィルムを透過することによって、所定の減衰率で減衰するため、受光した光量を検出することで残量を割り出すことによって、敏感な残量検知ができるとともに、終端を検出する機能においては、フィルムを透過する光とフィルム表面で反射する光の両方の光が受光することによって、一段と強い光量が受光部に受光することによって、終端部で受光する光量にメリハリがあるため、確実な終端検知の機能をもつことができることが明らかになった。
【図面の簡単な説明】
【図１】ロールフィルムの残量が充分にあるときの、検出状態を示したときの図である。
【図２】ロールフィルムの残量がおおよそ半分であるときの、検出状態を示したときの図である。
【図３】ロールフィルムの残量がないあるいはなくなる直前の、検出状態を示したときの図である。
【図４】電圧検出部４の検出電圧と残量の関係を現した図である。
【符号の説明】
１  発光源としてのＬＥＤ
２  受光部としてのフォトトランジスタ
３  抵抗器
４  電圧検出部
５  ロール状フィルムの外周部分
６  紙管部分
７  ＬＥＤ１から発光した光束
８  ＬＥＤ１から発せられた光がロール状フィルムの表面で反射された光束
９  ＬＥＤ１から発せられた光がロール状フィルムの中心部の紙管部分にあたり反射された光束
１０  最終的にはフィルムを抜けてフォトトランジスタに到達する光束
【図１】
2004161419.tif 000003
【図２】
2004161419.tif 000004
【図３】
2004161419.tif 000005
【図４】
2004161419.tif 000006